(57)【要約】【課題】人体に密着しやすく、健康増進効果の高い磁気治療用ベルトを提供する。【解決手段】人の胴に巻付けるベルト１０と、ベルト１０に取付けられた複数個の磁場発生器１とからなる。ベルト１０は、磁場発生器１を取付けたベルト本体１１と、ベルト本体１１の両端部に形成されたファスナー部１２と、ファスナー部１２に取付けられた伸縮性部材の補助ベルト２１，２２とからなる。ベルトを締めることで、複数個の磁場発生器１を人体の腰部や腹部に密着させうるので、胴回りを一度に効率よく治療することができる。ベルト本体１１の人体への取付けはファスナーで行えるので装着が容易であり、また補助ベルト２１，２２の伸縮性で締付け力を増すので、体格の大きさに合わせて磁場発生器１をより人体に密着させることができる。【選択図】図１
0003118146.tif 000002
【実用新案登録請求の範囲】
【請求項１】
人の胴に巻付けるベルトと、
該ベルトに取付けられた複数個の磁場発生器とからなる
ことを特徴とする磁気治療用ベルト。
【請求項２】
前記ベルトは、前記磁場発生器を取付けたベルト本体と、該ベルト本体の両端部に形成されたファスナー部と、該ファスナー部に取付けられた伸縮性部材の補助ベルトとからなる
ことを特徴とする磁気治療用ベルト。
【考案の詳細な説明】
【技術分野】
【０００１】
本考案は、磁気治療用ベルトに関する。さらに詳しくは、磁力によって血行を良くし人の健康増進に用いる磁気治療用ベルトに関する。
【背景技術】
【０００２】
従来より健康器具としての磁気治療器はベッドに多数の磁場発生器を取付けた大形のものから、数個の磁場発生器を屈曲可能に連結しただけの小形のものまで、様々なタイプのものがある。後者の小形の磁気治療器としては特許文献１に記載のものがある。
【０００３】
この磁気治療器101は、図５に示すように、複数個の磁場発生器111を互いに連結して本体を構成し、それに電源コード102とスイッチを備えた電源回路103とからなるものである。磁場発生器111自体はプラスチック製などの箱体とそれに入れられたコイル等からなり、交流磁界を発生する機能を有している。また、複数個の磁場発生器111相互の結合は、箱体に形成した蝶番によるもので、互いに一次元的な屈曲は可能となっている。しかし、二次元以上の自由な変形は不可能である。
【０００４】
以上の理由により、人体の任意の部分に巻き付けて使用することはできず、仮に巻き付けたとしても人体に密着しないので健康増進効果は薄かった。
【０００５】
【特許文献１】特開２００３‐２２２６６１号公報
【考案の開示】
【考案が解決しようとする課題】
【０００６】
本考案は上記事情に鑑み、人体に密着しやすく、装着が容易であり、腰廻りに治療効果の高い磁気治療用ベルトを提供することを目的とする。
【課題を解決するための手段】
【０００７】
第１考案の磁気治療用ベルトは、人の胴に巻付けるベルトと、該ベルトに取付けられた複数個の磁場発生器とからなることを特徴とする。
第２考案の磁気治療用ベルトは、前記ベルトは、前記磁場発生器を取付けたベルト本体と、該ベルト本体の両端部に形成されたファスナー部と、該ファスナー部に取付けられた伸縮性部材の補助ベルトとからなることを特徴とする。
【考案の効果】
【０００８】
第１考案によれば、ベルトを締めることで、複数個の磁場発生器を人体の腰部や腹部に密着させうるので、胴回りを一度に効率よく治療することができる。
第２考案によれば、ベルト本体の人体への取付けはファスナーで行えるので装着が容易であり、また補助ベルトの伸縮性で締付け力を増すので、体格の大きさに合わせて磁場発生器をより人体に密着させることができる。
【考案を実施するための最良の形態】
【０００９】
つぎに、本考案の実施形態を図面に基づき説明する。
図１は本考案の一実施形態に係る磁気治療用ベルトの平面図である。図２は同実施形態に係る磁気治療用ベルトの側面図である。
【００１０】
本実施形態の磁気治療用ベルトＢは、磁場発生器１とベルト１０とからなる。
前記ベルト１０は、ベルト本体１１と、その両端部に形成されたファスナー部１２，１３とからなる。ベルト本体１１は、複数個の磁場発生器１を保持する部分であり、人体に巻き付ける柔軟性と磁場発生器１を保持して型崩れしないだけの剛性を有していればよく、例えば、布その他の公知の素材が用いられる。また、製法は、縫製のほか、プレス成形を用いてもよい。この場合、後述する磁場発生器１を表裏両面から覆うように成形すると、磁場発生器１をベスト１０の内部にしっかりと固定することができる。また、外観的にも煩雑な感じがせず、見映えがよくなる。
【００１１】
前記ファスナー部１２，１３の表面には、例えば面状ファスナのループテープ１４（輪状になったケバを一面に植設したもの）を貼付している。そして、一方のファスナー部１３の先端部裏面には、面状ファスナのフックテープ１５（かぎ状のフックを一面に植設したもの）を貼付している。
このため、ベルト１０を人の胴回りに巻き付けて、ファスナー部１２の上にファスナー部１３を重ね、フックテープ１５をファスナー部１２の表面のループテープ１４にフックテープ１５を押し付けると、ファスナー部１２，１３を、互いに貼り合わせて連結できるようになっている。なお、ファスナー部１２，１３の止め具としては、前記面状ファスナのほか、公知のフックやボタンであってもよい。
【００１２】
また、ファスナー部１２，１３には、補助ベルト２１，２２が縫い付けられている。この補助ベルト２１，２２は、ゴム等の素材を用いた伸縮性のベルトである。そして、補助ベルト２１，２２のそれぞれの先端裏面には、面状ファスナのフックテープ２３，２４を付けて、ファスナー部１２，１３の表面のループテープ１４に固定できるようになっている。
【００１３】
ベルト１０のベルト本体１１には、複数個の磁場発生器１が取付けられている。図示の例では３個であるが、２個以下であってもよく、４個以上であってもよい。これらの磁場発生器１は、交流電流につないで、交番磁界を発生させるコイルなどを内蔵した公知のものである。
【００１４】
図には示していないが、電源スイッチやタイマーを内蔵し、電源コードを接続したコントローラが必要であり、これはベルト１０の適当な部位に、着脱自在に取付けたり、予め取付けておかれる。ベルト１０に取付けた各磁場発生器１には、コントローラから交流電流が供給される。
【００１５】
つぎに、本実施形態の磁気治療用ベルトの使用方法を説明する。
図３は同磁気治療用ベルトの使用状態を示す正面図である。図４は同磁気治療用ベルトの使用状態を示す背面図である。
ベルト１０は、これを人の胴に巻き付け、ファスナー部１２，１３を重ね合わせて、フックテープ１５を押し付けることで、ファスナー部１２，１３同士を着脱自在に固定できる。
この場合、フックテープ１５の重ね場所を任意に選ぶことで、体格の大きさに合わすことができる。また補助ベルト２１，２２の伸縮性で締付け力を増すので、磁場発生器１をより人体に密着させることができ、このようにして、複数個の磁場発生器１を人体の腰部や腹部に密着させうるので、胴回りを一度に効率よく治療することができる。
【００１６】
本実施形態の磁気治療用ベストＢは、別考案であるベスト型の磁気治療器と共用してもよく、単独で使用してもよい。
【図面の簡単な説明】
【００１７】
【図１】本考案の一実施形態に係る磁気治療用ベルトの平面図である。
【図２】同実施形態に係る磁気治療用ベルトの側面図である。
【図３】同磁気治療用ベルトの使用状態を示す正面図である。
【図４】同磁気治療用ベルトの使用状態を示す背面図である。
【図５】従来の磁気治療器の外観図である。
【符号の説明】
【００１８】
１    磁場発生器
１０    ベルト
１１    ベルト本体
１２    ファスナー部
１５    フックテープ
【図１】
0003118146.tif 000003
【図２】
0003118146.tif 000004
【図３】
0003118146.tif 000005
【図４】
0003118146.tif 000006
【図５】
0003118146.tif 000007
【手続補正書】
【提出日】平成17年11月11日(2005.11.11)
【手続補正１】
【補正対象書類名】実用新案登録請求の範囲
【補正対象項目名】請求項２
【補正方法】変更
【補正の内容】
【請求項２】
前記ベルトは、前記磁場発生器を取付けたベルト本体と、該ベルト本体の両端部に形成されたファスナー部と、該ファスナー部に取付けられた伸縮性部材の補助ベルトとからなる
ことを特徴とする請求項１記載の磁気治療用ベルト。